(57)【要約】      （修正有）【課題】ユーザが振動板の特性に応じて自由に連結部材の材質を交換したり、配置を変換したりできる固定装置を備えた振動スピーカを提供する。【解決手段】少なくとも１つのトランスデューサを含む。振動スピーカ１１の底部に少なくとも１つの溝１１１を設ける。少なくとも１つの連結部材１１２は前記少なくとも１つの溝にそれぞれ対応して嵌合される。トランスデューサは駆動されて振動を生じ、前記振動が連結部材によって振動板に伝達される。【選択図】図２Ａ
0003175125.tif 000002
【実用新案登録請求の範囲】
【請求項１】
少なくとも１つのトランスデューサと、
少なくとも１つの溝を設けた底部と、
前記少なくとも１つの溝にそれぞれ対応して嵌合可能な少なくとも１つの連結部材と、
を含み、前記トランスデューサが駆動されて振動を生じ、前記振動が前記連結部材によって振動板に伝達されることを特徴とする固定装置を備えた振動スピーカ。
【請求項２】
前記振動スピーカは、
前記トランスデューサを内包する振動モジュールと、
電子信号を受信して、適切な駆動信号を生じて前記振動モジュールのトランスデューサを駆動する駆動モジュールと、
を含むことを特徴とする請求項１に記載の固定装置を備えた振動スピーカ。
【請求項３】
前記トランスデューサは圧電材料（piezoelectric material）、電気活性ポリマー（Electro-Active Polymer、 EAP）、形状記憶合金（Shape Memory Alloy、 SMA）、磁気歪み材料（Magnetostrictive Material）、電歪材料（Electrostrictive Material）、ボイスコイルモータ（voice coil motor）、偏心回転質量モータ（eccentric rotating mass (ERM) motor）、又はリニア振動アクチュエータ（linear resonant actuator、 LRA）を含むことを特徴とする請求項１に記載の固定装置を備えた振動スピーカ。
【請求項４】
前記連結部材は嵌合部と連結部を含み、前記嵌合部は前記溝内に嵌合され、前記連結部は前記溝の外にあることを特徴とする請求項１に記載の固定装置を備えた振動スピーカ。
【請求項５】
前記連結部は、前記振動板に連結して固定するための連結材質を含むことを特徴とする請求項４に記載の固定装置を備えた振動スピーカ。
【請求項６】
前記連結部は接着剤、粘土、又は磁石を含むことを特徴とする請求項５に記載の固定装置を備えた振動スピーカ。
【請求項７】
前記溝は細長い溝、ブロック溝、又は円形溝であることを特徴とする請求項１に記載の固定装置を備えた振動スピーカ。
【請求項８】
前記溝の断面形状は台形、長方形、又は半円形であることを特徴とする請求項１に記載の固定装置を備えた振動スピーカ。
【請求項９】
前記溝の形状は前記連結部材の連結部の形状と互いに補完することを特徴とする請求項４に記載の固定装置を備えた振動スピーカ。
【考案の詳細な説明】
【技術分野】
【０００１】
本考案は、振動スピーカに関し、より詳しくは、固定装置を備えた振動スピーカに関する。
【背景技術】
【０００２】
スピーカは電子信号を音波に変換するための変換装置である。公知の可動コイル型スピーカは通常、磁石、コイル、弾性台座、及び放音孔で構成されており、作動原理は電子信号をコイルに伝送し、電磁誘導を生じて誘導電流を形成し、弾性台座を通じて放音孔から発声する。
【考案の概要】
【考案が解決しようとする課題】
【０００３】
然しながら、前述した従来の技術では、可動コイル型スピーカは成熟した技術とはいえ、体積が嵩張り、消費電力が大きく、しかも磁気妨害を受け易いことから、ダウンサイジングやポータブルな電子装置には適さない。
【０００４】
前記の欠点を改良するために、振動スピーカを打ち出した。発生した振動が振動板に伝わるよう、振動スピーカ振動板に接触して固定する必要があり、共振と共鳴効果によって音声を発する。公知の振動スピーカの固定方法は、大半がそれ自体の重量で重力によって振動板と接触し、或いは接着部材で振動板に固定され、前記接着部材は一般に振動スピーカに固設される。然しながら、単一の接着部材は各種振動板の材質（例：木板、ガラス、又は金属）、滑らかさ、及び粗さには適さず、しかも公知の接着部材は交換が容易ではなく、度重なる使用で汚れて粘着力が低下し、振動スピーカの固定効果が思わしくなくなることから、振動スピーカの使用の利便性が際立たなかった。
【０００５】
本考案は、このような従来の問題に鑑みてなされたものである。上記課題解決のため、本考案は、ユーザが振動板の特性に応じて、自由に連結部材の材質を交換したり配置を変換したりできる固定装置を備えた振動スピーカを提供することを主目的とする。
【課題を解決するための手段】
【０００６】
上述した課題を解決し、目的を達成するために、本考案に係る固定装置を備えた振動スピーカは、
少なくとも１つのトランスデューサと、
少なくとも１つの溝を設けた底部と、
前記少なくとも１つの溝にそれぞれ対応して嵌合可能な少なくとも１つの連結部材と、
を含み、前記トランスデューサが駆動されて振動を生じ、前記振動が前記連結部材によって振動板に伝達されることを特徴とする。
【考案の効果】
【０００７】
本考案の振動スピーカによれば、柔軟に交換可能で、振動スピーカと振動板の間の固定効果をも高められる固定装置を備えた振動スピーカが得られる。
【図面の簡単な説明】
【０００８】
【図１】本考案の実施形態における固定装置を備えた振動スピーカの透視図である。
【図２Ａ】図１の振動スピーカの底部の透視図である。
【図２Ｂ】連結部材が溝に嵌合された局部の断面図である。
【図３Ａ】本考案の実施形態における振動スピーカの各種溝の外観形状を例示している。
【図３Ｂ】本考案の実施形態における振動スピーカの各種溝の外観形状を例示している。
【図３Ｃ】本考案の実施形態における振動スピーカの各種溝の外観形状を例示している。
【図３Ｄ】本考案の実施形態における振動スピーカの各種溝の外観形状を例示している。
【図４Ａ】本考案の実施形態における振動スピーカの各種溝の断面形状を例示している。
【図４Ｂ】本考案の実施形態における振動スピーカの各種溝の断面形状を例示している。
【図４Ｃ】本考案の実施形態における振動スピーカの各種溝の断面形状を例示している。
【考案を実施するための形態】
【０００９】
以下に図面を参照して、本考案を実施するための形態について、詳細に説明する。なお、本考案は、以下に説明する実施形態に限定されるものではない。
【実施例】
【００１０】
本考案の第１実施形態の構成を図１から図４Ｃに示す。本考案の実施形態における固定装置を備えた振動スピーカにつき、図１は本考案の実施形態における固定装置を備えた振動スピーカ１１の透視図である。本実施形態では、振動スピーカ１１内部に主として振動モジュールと駆動モジュールを含み、駆動モジュールは電子信号を受信することで、適切な駆動信号を生じて振動モジュールを駆動し、振動を発生させる。振動スピーカ１１（又はその振動モジュール）の底部が振動板１２（例：ガラス、テーブル面、壁等）に接触すると、前記振動が振動板１２に伝わり、ユーザは生じた音波を聞き取ることができる。本実施形態の振動モジュールは、圧電材料(piezoelectric material)、電気活性ポリマ(Electro-Active Polymer、 EAP)、形状記憶合金(Shape Memory Alloy、 SMA)、磁気歪み材料(Magnetostrictive Material)、電歪材料(Electrostrictive Material)、ボイスコイルモータ(voice coil motor)、偏心回転質量モータ(eccentric rotating mass (ERM) motor)、又はリニア振動アクチュエータ(linear resonant actuator、 LRA)を含む少なくとも１つのトランスデューサを使用する。
【００１１】
図２Ａは図１の振動スピーカ１１の底部の透視図である。本実施形態では、振動スピーカ１１の底部に少なくとも１つの溝１１１を設ける。また、本実施形態はさらに、それぞれ前記少なくとも１つの溝１１１に対応して嵌合可能な少なくとも１つの連結部材１１２を含む。前記溝１１１と連結部材１１２は共に振動スピーカ１１の固定装置とされ、しかも交換可能な固定装置に該当する。
【００１２】
図２Ｂは連結部材１１２が溝１１１に嵌合される局部の断面図である。図示されるように、連結部材１１２は嵌合部１１２Ａと連結部１１２Ｂを含み、嵌合部１１２Ａは溝１１１内に嵌合可能であるのに対し、連結部１１２Ｂは溝１１１の外部にある。本実施形態の連結部１１２Ｂは振動板１２に連結可能な連結材質を含むため、振動スピーカ１１は振動板１２に固定可能である。前記連結材質は接着剤（例：ポリウレタン(polyurethane、 PU) ゲル）、粘土、磁石で差し支えないが、これらに限定されない。
【００１３】
一実施形態では、前記連結部材１１２は必ずしも同じ連結材質を使用する必要はない。換言すると、本実施形態における固定装置の複数の連結部材１１２は、複合型の固定装置とするため、異なる連結材質を選択して使用することが可能であることから、振動板１２の材質、滑らかさ、及び粗さを組合せて、好ましい固定効果を得ることができる。例えば、金属材質の振動板１２に対しては、磁石を含む連結部材１１２を全部使用することが可能であり、また、磁石を含む連結部材１１２と接着剤を含む連結部材１１２をそれぞれ一部使用することも可能である。これに対して、非金属材質の振動板１２に対しては、接着剤を含む連結部材１１２を全部使用することが可能である。
【００１４】
本実施形態における振動スピーカ１１の溝１１１の形状は図２Ａに示された形状に限定されない。図３Ａから図３Ｄは本考案の実施形態における振動スピーカ１１の各種溝１１１の外観形状を例示している。図３Ａは（縦方向に）細長い溝を、図３Ｂは（横方向に）細長い溝を、図３Ｃはブロック溝を、図３Ｄは円形溝を示している。図３Ｃに示されるように、連結部材１１２が溝１１１に嵌合したり、溝１１１から出したりするのに便利なように、ブロック溝が振動スピーカ１１の底部に延在する側辺に開口を設けることができる。似たような状況は、図３Ｄに示されるように、円形溝が振動スピーカ１１の底部に延在する側辺にも開口を設けることができる。図４Ａから図４Ｃは、本考案の実施形態における振動スピーカ１１の各種溝１１１の断面形状を例示している。図４Ａは台形断面の溝を、図４Ｂは長方形断面の溝を、図４Ｃは半円形断面の溝を示している。本実施形態における連結部材１１２の連結部１１２Ｂの外観及び断面形状は互いに対応可能で、図３Ａ〜図３Ｄ及び図４Ａ〜図４Ｃに示された溝１１１形状と互いに補完される。
【００１５】
一実施形態では、前記溝１１１や連結部材１１２は必ずしも同じ形状を使用する必要はない。換言すると、本実施形態における複数の溝１１１や連結部材１１２は、振動板１２の特性を柔軟に組合せるために、異なる形状や配置を選択して使用することが可能である。
【００１６】
以上、本考案はこのような実施形態に限定されるものではなく、考案の趣旨を逸脱しない範囲において、種々の形態で実施することができる。
【符号の説明】
【００１７】
１１      振動スピーカ
１２      振動板
１１１    溝
１１２    連結部材
１１２Ａ  嵌合部
１１２Ｂ  連結部
【図１】
0003175125.tif 000003
【図２Ａ】
0003175125.tif 000004
【図２Ｂ】
0003175125.tif 000005
【図３Ａ】
0003175125.tif 000006
【図３Ｂ】
0003175125.tif 000007
【図３Ｃ】
0003175125.tif 000008
【図３Ｄ】
0003175125.tif 000009
【図４Ａ】
0003175125.tif 000010
【図４Ｂ】
0003175125.tif 000011
【図４Ｃ】
0003175125.tif 000012